【事件の表示】
　特願２０１４−５４０３１７「人のバイオインピーダンスデータを検出する方法および装置」拒絶査定不服審判事件〔平成２５年　５月２３日国際公開、ＷＯ２０１３／０７１９０８、平成２６年１２月２５日国内公表、特表２０１４−５３４８７８〕について、次のとおり審決する。
【結　論】
　本件審判の請求は、成り立たない。
【理　由】
第１　手続の経緯
　本願は、２０１２年（平成２４年）１０月２７日（パリ条約による優先権主張　２０１１年１１月１５日　ドイツ）を国際出願日とする出願であって、平成２８年７月６日付けで拒絶理由が通知され、同年１０月２６日付けで意見書及び手続補正書が提出され、平成２９年３月１４日付けで拒絶査定されたところ、同年７月４日に拒絶査定不服審判の請求がなされ、同時に手続補正がなされ、その後、平成２９年１１月２日付けで上申書が提出されたものである。
第２　平成２９年７月４日にされた手続補正についての補正の却下の決定
［補正の却下の決定の結論］
　平成２９年７月４日にされた手続補正（以下、「本件補正」という。）を却下する。
[理由] 
１　本件補正について（補正の内容）
（１）本件補正後の特許請求の範囲の記載
　本件補正により、特許請求の範囲の請求項１の記載は、次のとおり補正された。（下線部は、補正箇所である。）
　「少なくとも２つの電極を使用して少なくとも１つのインピーダンス値を測定し、評価機構へ伝送するようにした、人のバイオインピーダンスデータを検出する方法において、
　少なくとも１つの出力機構の領域に、前記バイオインピーダンスの測定にとって最適な身体姿勢を取らせるための人の情報を提供し、
　前記情報をビジュアル表示させ、
　人の実際の身体姿勢を少なくとも部分的に検知し、
　実際の身体姿勢と目標身体姿勢との比較をベースにした情報を
ビジュアル表示させる
（２）本件補正前の特許請求の範囲
　本件補正前の、平成２８年１０月２６日にされた手続補正により補正された特許請求の範囲の請求項１の記載は次のとおりである。
　「少なくとも２つの電極を使用して少なくとも１つのインピーダンス値を測定し、評価機構へ伝送するようにした、人のバイオインピーダンスデータを検出する方法において、
　少なくとも１つの出力機構の領域に、前記バイオインピーダンスの測定にとって最適な身体姿勢を取らせるための人の情報を提供し、
　前記情報をビジュアル表示させ、
　人の実際の身体姿勢を少なくとも部分的に検知し、
　実際の身体姿勢と目標身体姿勢との比較をベースにした情報を出力させることを特徴とする方法。」
２　補正の適否
　本件補正は、本件補正前の請求項１に記載した発明を特定するために必要な事項である「実際の身体姿勢と目標身体姿勢との比較をベースにした情報」について、「出力させる」から「ビジュアル表示させる」へと、出力方法を下位概念にしたものであって、補正前の請求項１に記載された発明と補正後の請求項１に記載される発明の産業上の利用分野及び解決しようとする課題が同一であるから、特許法第１７条の２第５項第２号の特許請求の範囲の減縮を目的とするものに該当する。
　そこで、本件補正後の請求項１に記載された発明（以下「本件補正発明」という。）が同条第６項において準用する同法第１２６条第７項の規定に適合するか（特許出願の際独立して特許を受けることができるものであるか）について、以下、検討する。
（１）本件補正発明
　本件補正発明は、上記１（１）に記載したとおりのものである。
（２）引用文献の記載事項
ア　引用文献１
　原査定の拒絶の理由に引用された、本願の優先日前に頒布された刊行物である特開２００７−１９５７４４号公報（以下「引用文献１」という。）には、図面とともに、次の事項が記載されている。（下線は当審において付した。）
（引１−ア）
「【０００１】
　本発明は、
体組成を測定する体組成計
（引１−イ）
「【００１８】
　＜体組成計の構成＞
　図１は、本発明の実施形態に係る体組成計の外観を示している。本実施形態では、体重計と一体に構成された体重体組成計を例示する。
【００１９】
　この
体組成計は、
本体１と保持部（表示操作部）２とから構成される
【００２０】
　本体１の上面には、４つの足用電極１０Ｌ、１０Ｒ、１１Ｌ、１１Ｒが設けられている。電極１０Ｌ、１０Ｒは、左右の足裏に電流を印加するための電極であり、電極１１Ｌ、１１Ｒは、左右の足裏から電圧を検知するための電極である。また本体１は体重測定部１２を内蔵している。
【００２１】
　
保持部２には、左右のグリップ２０Ｌ、２０Ｒ、表示部２１、
カメラ２３、などが設けられている。表示部２１は、測定結果やガイダンスを表示したり、カメラ２３から入力された画像を表示したりする部分であり、
カメラ２３は、体組成計の使用者（体組成測定者）を撮影するために設けられており、
【００２２】
　
グリップ２０Ｌ、２０Ｒにはそれぞれ、手のひらに電流を印加するための電極２４Ｌ、２４Ｒと、手のひらから電圧を検知するための電極２５Ｌ、２５Ｒとが設けられている。
グリップ２０Ｒには、カメラ２３のシャッターボタン２３Ｓが設けられている。
【００２３】
　本実施形態の体組成計は、体組成測定姿勢として、「背筋及びひざを伸ばして立ち、ひじ及び手首を伸ばして腕を水平に上げ（腕と体が約９０°）、表示部２１が顔を向くように保持部２を持つ」姿勢を要求する。それゆえ、シャッターボタン２３Ｓは、体組成測定時に使用者の指先（右手人差し指の先）が置かれるべき位置である、右グリップ２０Ｒの基端部分に配置されている。また、カメラ２３は、体組成測定姿勢をとる使用者の顔を含む画像を撮影可能なように、表示部２１と同じ向きに配置されている。このようにシャッターボタン２３Ｓとカメラ２３を配置したことにより、体組成測定姿勢と撮影姿勢とが同じになり、操作性の向上を図ることができる。シャッターボタン２３Ｓに合わせて保持部２を持てば、自動的に体組成の測定に適した持ち方となることから、シャッターボタン２３Ｓが保持部２の持ち方のガイドとしての役割も果たすこととなり、測定ミスの低減を図る効果も生まれる。」
（引１−ウ）
「【００２４】
　図２は、体組成計の構成を示すブロック図である。図２に示すように、
保持部２は、制御部２６、インピーダンス測定部２７
などを内蔵している。制御部２６は、体組成計の各構成要素を制御したり、体組成の推定処理や画像処理などの演算を行う手段であり、
インピーダンス測定部２７は、印加した電流と検知された電圧とに基づいて体内のインピーダンスを測定する手段である。
【００２５】
　記憶部２８は、不揮発性メモリなどの記憶媒体から構成される。記憶部２８には、体重及び体組成の測定結果（測定値）、カメラ２３で撮影された画像、測定及び撮影の日時、個人情報（年齢、身長、性別）などが、使用者別（登録番号別）に格納される。本実施形態の体組成計では複数（例えば４人）の使用者を登録可能であり、操作部２２のユーザ選択スイッチで登録番号を指定することにより使用者を選択することができる。」
（引１−エ）
「【００２６】
　＜体組成計の動作＞
　図３のフローチャートに沿って、
体組成計の動作
【００２７】
　
使用者が体組成計の電源をＯＮすると、
【００２８】
　
制御部２６は、
カメラ２３から入力される画像を表示部２１に表示する（Ｓ１２）。使用者は表示部２１の画像を見ながら、姿勢の修正や保持部２の位置・向きの調整を行う。調整を容易にするために、表示部２１に位置合わせ用のガイドライン
を表示する
【００２９】
　使用者が静止すると、体重測定部１２によって体重の測定が行われる（Ｓ１３）。この測定値は制御部２６に入力される。
【００３０】
　体重測定が完了すると、制御部２６は、表示部２１に撮影可能マークを表示する（Ｓ１４）。なお、この表示は、撮影準備（体組成測定準備）が整ったことを使用者に通知できれば、どのような態様でも構わない。例えば、ランプの点滅や、メッセージの表示などでもよい。
【００３１】
　
使用者がシャッターボタン２３Ｓを押すと、
インピーダンス測定部２７によってインピーダンスの測定が行われる（Ｓ１６）
【００３２】
　
制御部２６は、インピーダンス測定部２７から測定結果を受け取ると、このインピーダンス
に基づいて、体組成を推定する（Ｓ１７）。
（引１−オ）
「【００４２】
　（変形例２）
　本例では、制御部２６が、撮影画像に基づいて使用者の姿勢の良否を判定する。姿勢の判定は、例えば、（１）
撮
【００４３】
　図３のＳ１２の後などに上記姿勢判定処理を実行し、姿勢が良好と判定された場合にＳ１３の体重測定処理に移行し、姿勢が不良と判定された場合に「測定姿勢をとってください。」というような警告を出力すれば、測定ミスの低減を図ることができる。」
（引１−カ）図１には、以下の図面が示されている。
（引１−キ）図２には、以下の図面が示されている。
（引１−ク）図３には、以下の図面が示されている。
イ　引用文献１に記載の発明
　上記アの記載事項及び図面を総合すると、引用文献１には次の発明（以下「引用発明」という。）が記載されていると認められる。
 
　「体組成計を用いて体組成を測定する方法であって、　
　体組成計は、本体１と保持部（表示操作部）２とから構成され、
　保持部２には、左右のグリップ２０Ｌ、２０Ｒ、表示部２１、カメラ２３、などが設けられ、表示部２１は、測定結果やガイダンスを表示したり、カメラ２３から入力された画像を表示したりする部分であり、カメラ２３は、体組成計の使用者（体組成測定者）を撮影するために設けられており、
　グリップ２０Ｌ、２０Ｒにはそれぞれ、手のひらに電流を印加するための電極２４Ｌ、２４Ｒと、手のひらから電圧を検知するための電極２５Ｌ、２５Ｒとが設けられ、グリップ２０Ｒには、カメラ２３のシャッターボタン２３Ｓが設けられており、
　保持部２は、制御部２６、インピーダンス測定部２７などを内蔵しており、制御部２６は、体組成計の各構成要素を制御したり、体組成の推定処理や画像処理などの演算を行う手段であり、インピーダンス測定部２７は、印加した電流と検知された電圧とに基づいて体内のインピーダンスを測定する手段であり、
　体組成計の動作は、使用者が体組成計の電源をＯＮすると、
　制御部２６は、カメラ２３から入力される画像を表示部２１に表示し（Ｓ１２）、使用者は表示部２１の画像を見ながら、姿勢の修正や保持部２の位置・向きの調整を行い、調整を容易にするために、表示部２１に位置合わせ用のガイドラインを表示し、
　使用者がシャッターボタン２３Ｓを押すと、インピーダンス測定部２７によってインピーダンスの測定が行われ（Ｓ１６）、
　制御部２６は、インピーダンス測定部２７から測定結果を受け取ると、このインピーダンスに基づいて、体組成を推定する（Ｓ１７）、方法。」
（３）引用発明との対比・判断
ア　対比
　本件補正発明と引用発明とを対比する。
（ア）引用発明の「手のひらに電流を印加するための電極２４Ｌ、２４Ｒと、手のひらから電圧を検知するための電極２５Ｌ、２５Ｒ」、「体内のインピーダンス」、「制御部２６」、「体組成」及び「表示部２１」は、それぞれ、本件補正発明の「少なくとも２つの電極」、「少なくとも１つのインピーダンス値」、「評価機構」、「人のバイオインピーダンスデータ」及び「少なくとも１つの出力機構」に相当する。
（イ）引用発明の、「インピーダンス測定部２７」において、「手のひらに電流を印加するための電極２４Ｌ、２４Ｒ」から「印加した電流と」、「手のひらから電圧を検知するための電極２５Ｌ、２５Ｒ」により「検知された電圧とに基づいて体内のインピーダンスを測定」し、「制御部２６は、インピーダンス測定部２７から測定結果を受け取ると、このインピーダンスに基づいて、体組成を推定する」「方法」は、「電極２４Ｌ、２４Ｒ」及び「電極２５Ｌ、２５Ｒ」を使用して「体内のインピーダンス」を「測定」し、この「測定結果」を「制御部２６」へ伝送して「体組成を推定する」「方法」であるから、上記（ア）を踏まえると、本件補正発明の「少なくとも２つの電極を使用して少なくとも１つのインピーダンス値を測定し、評価機構へ伝送するようにした、人のバイオインピーダンスデータを検出する方法」に相当する。
（ウ）引用発明の「カメラ２３から入力される画像」と「位置合わせ用のガイドライン」とからなる情報は、上記摘記（引１−イ）の【００２３】に「本実施形態の体組成計は、体組成測定姿勢として、「背筋及びひざを伸ばして立ち、ひじ及び手首を伸ばして腕を水平に上げ（腕と体が約９０°）、表示部２１が顔を向くように保持部２を持つ」姿勢を要求する。」とあるように、最適な体組成測定姿勢を取らせるための人の情報であるから、本件補正発明の「バイオインピーダンスの測定にとって最適な身体姿勢を取らせるための人の情報」に相当する。
　よって、引用発明において、「表示部２１に」、「カメラ２３から入力される画像」と「位置合わせ用のガイドライン」を「表示」することは、上記（ア）を踏まえると、本件補正発明の「少なくとも１つの出力機構の領域に、前記バイオインピーダンスの測定にとって最適な身体姿勢を取らせるための人の情報を提供」することに相当する。
（エ）引用発明において、「カメラ２３から入力される画像」と「位置合わせ用のガイドライン」を「表示部２１に表示」させることは、視覚（ビジュアル）的に表示させることであるから、上記（ウ）を踏まえると、本件補正発明の「前記情報をビジュアル表示させ」ることに相当する。
（オ）引用発明において、「体組成計の使用者（体組成測定者）を撮影」した「画像」は、「使用者（体組成測定者）」の「姿勢の修正」に使用することから、「使用者（体組成測定者）」の実際の「姿勢」を「撮影（検知）」したものである。
　よって、引用発明の「体組成計の使用者（体組成測定者）を撮影する」ことは、本件補正発明の「人の実際の身体姿勢を少なくとも部分的に検知」することに相当する。
（カ）引用発明の「カメラ２３から入力される画像」と「位置合わせ用のガイドライン」とからなる情報と、本件補正発明の「実際の身体姿勢と目標身体姿勢との比較をベースにした情報」とは、上記（オ）を踏まえると、「実際の身体姿勢をベースにした情報」という点で共通する。
　よって、引用発明の「カメラ２３から入力される画像」と「位置合わせ用のガイドライン」を「表示部２１に表示」させることと、本件補正発明の「実際の身体姿勢と目標身体姿勢との比較をベースにした情報をビジュアル表示させること」とは、上記（エ）を踏まえると、「実際の身体姿勢をベースにした情報をビジュアル表示させること」という点で共通する。
イ　一致点・相違点
　以上のことから、本件補正発明と引用発明との一致点及び相違点は次のとおりである。
（一致点）
　「少なくとも２つの電極を使用して少なくとも１つのインピーダンス値を測定し、評価機構へ伝送するようにした、人のバイオインピーダンスデータを検出する方法において、
　少なくとも１つの出力機構の領域に、前記バイオインピーダンスの測定にとって最適な身体姿勢を取らせるための人の情報を提供し、
　前記情報をビジュアル表示させ、
　人の実際の身体姿勢を少なくとも部分的に検知し、
　実際の身体姿勢をベースにした情報をビジュアル表示させる、方法。」
（相違点）
　ビジュアル表示させる、実際の身体姿勢をベースにした情報は、本件補正発明では、「実際の身体姿勢と目標身体姿勢との比較をベースにした情報」であるのに対し、引用発明では、「カメラ２３から入力される画像」と「位置合わせ用のガイドライン」である点。
ウ　判断
　上記相違点について検討する。
（ア）引用文献１には、最適な体組成測定姿勢を取らせるために、上記引用発明における「表示部２１に表示」された「カメラ２３から入力される画像」と「位置合わせ用のガイドライン」とからなる情報を使用すること以外に、上記摘記（引１−オ）に、姿勢判定処理により実行することも記載されており、この姿勢判定処理は、撮影画像（実際の身体姿勢）が、最適な体組成測定姿勢（目標身体姿勢）をとっているかどうかを判定し、その姿勢が良好と判定された場合には測定工程に移行し、姿勢が不良と判定された場合には警告を出力し、測定ミスの低減を図ることが記載されている。
　してみれば、引用発明において、上記「位置合わせ用のガイドライン」を、撮影画像（実際の身体姿勢）との「位置合わせ」のために最適な体組成測定姿勢（目標身体姿勢）を示した「ガイドライン」情報とし、「カメラ２３から入力される画像」と「位置合わせ用のガイドライン」とからなる情報を、「実際の身体姿勢と目標身体姿勢との比較をベースにした情報」とすることは、当業者が容易になし得たことである。
（イ）そして、本件補正発明の奏する作用効果は、引用文献１から予測される範囲内のものにすぎず、格別顕著なものということはできない。
（ウ）したがって、本件補正発明は、引用発明及び引用文献１に記載された技術的事項に基づいて当業者が容易に発明をすることができたものであり、特許法第２９条第２項の規定により、特許出願の際独立して特許を受けることができないものである。
エ　補正案について
（ア）請求人は、平成２９年１１月２日付けで上申書を提出し、そこで本件補正後の請求項１を以下のようにする補正案が示されている。（下線部は、更なる追加箇所である。）
　「
それぞれの手のための電極の各々が別個のベース要素上に配置され、前記ベース要素は距離を置いて分けられるように支持要素上に配置され、前記ベース要素は前記支持要素の垂直中央線に対して対称的に配置され、各々の電極は、人の２つの指に接触可能に寸法決めされたボディコンポジションアナライザによって、立っている人の各々の手のための
　少なくとも１つの出力機構の領域に、前記バイオインピーダンスの測定にとって最適な身体姿勢を取らせるための人の情報を提供し、
　前記情報をビジュアル表示させ、
　人の実際の身体姿勢を少なくとも部分的に検知し、
　実際の身体姿勢と目標身体姿勢との比較をベースにした情報を
リアルタイムで
（イ）上記補正案は、手続上検討する必要のないものであるが、当審の見解を簡潔に提示しておく。
　特開２００３−２６５４２９号公報（【００２８】〜【００３４】、図１（ａ））には、補正案の「それぞれの手のための電極の各々が別個のベース要素上に配置され、前記ベース要素は距離を置いて分けられるように支持要素上に配置され、前記ベース要素は前記支持要素の垂直中央線に対して対称的に配置され、各々の電極は、人の指に接触可能に寸法決めされたボディコンポジションアナライザ」に相当する技術的事項が記載されており、また、特開２００１−１４９３２８号公報（【０００２】〜【０００４】、図２３、図２４）には、補正案の「各々の電極は、人の２つの指に接触可能に寸法決めされたボディコンポジションアナライザ」に相当する技術的事項が記載されているから、引用発明において、上記各技術的事項を用いて、「
それぞれの手のための電極の各々が別個のベース要素上に配置され、前記ベース要素は距離を置いて分けられるように支持要素上に配置され、前記ベース要素は前記支持要素の垂直中央線に対して対称的に配置され、各々の電極は、人の２つの指に接触可能に寸法決めされたボディコンポジションアナライザによって、立っている人の各々の手のための
　また、引用発明は、「表示部２１に」リアルタイムに「表示」された、「カメラ２３から入力される画像」と「位置合わせ用のガイドライン」とからなる情報を使用して、最適な「体組成測定姿勢」を取らせるためのものであるから、上記ウの判断を踏まえると、引用発明において、「実際の身体姿勢と目標身体姿勢との比較をベースにした情報を
リアルタイムで
　よって、補正案は、引用発明、引用文献１に記載された技術的事項及び上記各技術的事項に基づいて当業者が容易に発明をすることができたものである。
（ウ）したがって、上記の補正案であっても、特許法第２９条第２項の規定により、特許を受けることができないものである。
３　本件補正についてのむすび
　以上のとおり、本件補正発明は、特許出願の際独立して特許を受けることができないものであるから、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、上記補正の却下の結論のとおり決定する。
第３　本願発明について
１　本願発明
　平成２９年７月４日にされた手続補正は、上記のとおり却下されたので、本願の請求項に係る発明は、平成２８年１０月２６日にされた手続補正により補正された特許請求の範囲の請求項１〜１１に記載された事項により特定されるものであるところ、その請求項１に係る発明（以下「本願発明」という。）は、その請求項１に記載された事項により特定される、前記第２［理由］１（２）に記載のとおりのものである。
　
２　原査定の拒絶の理由
　原査定の要旨は次のとおりである。
　本願の請求項１〜１１に係る発明は、引用文献１（特開２００７−１９５７４４号公報）に記載された発明に基づいて、当業者が容易に発明をすることができたものであるから、特許法第２９条第２項の規定により特許を受けることができない。
３　引用文献
　原査定の拒絶の理由で引用された引用文献１、その記載事項及び引用発明は、前記第２の「理由」２（２）に記載したとおりである。
４　当審の判断
　本願発明は、前記第２の「理由」２で検討した本件補正発明から、発明特定事項の「実際の身体姿勢と目標身体姿勢との比較をベースにした情報」について、「ビジュアル表示させる」から「出力させる」へと、出力方法を上位概念にしたものである。
　そうすると、本願発明の発明特定事項を全て含み、さらにその一部の発明特定事項を下位概念にしたものに相当する本件補正発明が、前記第２の［理由］２（３）に記載したとおり、引用発明及び引用文献１に記載された技術的事項に基づいて当業者が容易に発明をすることができたものであるから、本願発明も、引用発明及び引用文献１に記載された技術的事項に基づいて当業者が容易に発明をすることができたものである。
第４　むすび
　以上のとおり、本願発明は、特許法第２９条第２項の規定により特許を受けることができないから、他の請求項に係る発明について検討するまでもなく、本願は拒絶されるべきものである。
　よって、結論のとおり審決する。